(57)【要約】【課題】大画面表示を可能とする表示システムの設置、収納、配線等を容易に行なうことを可能とし、これらにより得られる設置の自由度により個々に異なる使用環境や設置環境に対応可能とする。【解決手段】表示システム１０は、複数の表示パネルユニット１を備え、これら複数の表示パネルユニット１が一列に配列するように連結されている。つまり複数の表示パネルユニット１を一方向に連続して必要数だけ連結した構成を備えている。そして各表示パネルユニット１間の連結部は、ヒンジによって接続されている。これにより各表示パネルユニット１間の折り曲げが可能となり、表示パネルユニット１間の角度を自在に設定することができる。【選択図】図１
2010054643.tif 000002
【特許請求の範囲】
【請求項１】
映像表示が可能な表示パネルを備える表示パネルユニットを一列に複数連結し、該複数の表示パネルユニット間の角度を可変設定可能としたことを特徴とする表示システム。
【請求項２】
請求項１に記載の表示システムにおいて、前記複数の表示パネルユニットのうち、互いに隣接する二つの表示パネルユニットの連結部は、ヒンジにより構成され、該ヒンジは、回動部を二つ備えたＮ字型構造を有することにより、前記二つの表示パネルユニットがなす角度を自在に設定可能としたことを特徴とする表示システム。
【請求項３】
請求項１または２に記載の表示システムにおいて、前記複数の表示パネルユニットのうち、互いに隣接する二つの表示パネルユニットの連結部に、該二つの表示パネルユニットのなす角度を検出するための角度センサを備え、該角度センサによる検出結果に基づいて、表示映像の補正を行うことを特徴とする表示システム。
【請求項４】
請求項３に記載の表示システムにおいて、前記角度センサの検出結果に基づいて、予め定めた所定の基準面に対する各前記表示パネルユニットの傾きを演算し、該傾きに基づいて、前記複数の表示パネルユニットの表示映像を連結方向に拡大または縮小する補正を行うことを特徴とする表示システム。
【請求項５】
請求項４に記載の表示システムにおいて、前記基準面に対する各前記表示パネルユニットの傾きに基づいて、前記連結方向の拡大または縮小に加えて、前記表示パネルユニットに表示させる映像が台形の映像となるように補正することを特徴とする表示システム。
【請求項６】
請求項３〜５のいずれか１に記載の表示システムにおいて、互いに隣接する二つの前記表示パネルユニットがなす角度の目標値を予め設定する角度目標値設定手段と、前記角度センサによる検出結果を用いて、該角度目標値設定手段に設定された目標角度に一致するように前記表示パネルユニットの移動を指示する指示手段とを有することを特徴とする表示システム。
【請求項７】
請求項６に記載の表示システムにおいて、前記指示手段は、移動を指示する特定の前記表示パネルユニットに対して、移動方向及び移動量を表示映像にて指示し、及び／または特定の前記表示パネルユニットの移動方向及び移動量を音声出力にて指示することを特徴とする表示システム。
【請求項８】
請求項１〜７のいずれか１に記載の表示システムにおいて、該表示システムは、前記複数の表示パネルユニットに角度可変に連結される制御ユニットを有し、該制御ユニットにより、前記複数の表示パネルユニットに表示させる映像を制御することを特徴とする表示システム。
【発明の詳細な説明】
【技術分野】
【０００１】
本発明は、表示システム、より詳細には、表示パネルを備えた表示パネルユニットを複数連結した表示システムに関する。
【背景技術】
【０００２】
ＬＣＤ（Liquid Crystal Display）やＥＬ（Electro-Luminescence）などを始めとする薄型表示パネルが登場し、表示画面の大型化が進んでいる。大画面薄型表示パネルは、営業用はもとより家庭でも需要が高まっている。
大画面薄型表示パネルの家庭での用途としては、現在はテレビとして使用する用途が主となっているが、今後は多目的な表示パネルとしての用途も拡大していくと考えられる。
【０００３】
また、大画面薄型表示パネルの他の用途として、大画面の視覚効果を生かし、あたかも映像に包みこまれるようなリラクゼーションシステムや、各種情報を任意に表示できるインフォメーションウォールなども考えられる。ここでいう各種情報の任意表示とは、一般的な天気やニュース、時間や予定などをテキスト情報だけではなくアイコンやグラフ化するなどグラフィカルに表示できたり、テレビ電話、インターホンなどの映像、テレビ放送を始めとするＡＶ機器からの映像のような動画や写真、ポスターのような静止画なども任意の位置に任意の大きさで表示できることを示す。
【０００４】
大型の映像表示装置を構成する技術に関し、例えば、特許文献１には、映像表示装置のフレーム両側面に設けた複数の係止金具により表示パネル接続を可能とした表示システムが開示されている。この表示システムでは、一面の映像表示装置を基本形にし、その映像表示部を収納するフレームの両側面に複数の係止金具を取り付け、この係止金具にピン結合できる扇型の係止板と、この係止板を所定の力で引っ張り固定するターンバックル付のロッド、シャックル等を用いる。これにより、多面の大型映像表示装置を組み立て、ホール等に設置可能としている。
【特許文献１】特開昭６３−４７７８８号公報
【発明の開示】
【発明が解決しようとする課題】
【０００５】
大画面表示装置を家庭等に設置する場合、壁の形状に合わせ表示パネルを作成して設置することが望ましいが、住居環境は個々に多様であるため、それら個々の住居環境に合わせて表示パネルを製造して設置することは、手間とコストがかかり実現が困難である。
【０００６】
また、建築指向が大型化かつ多目的使用を考慮されつつあり、現状の固定式の大型映像表示装置では用途に対応できなくなりつつある。このような問題に対し、複数の表示パネルを個々に設置し、配線してマルチディスプレーを実現する方法も考えられるが、設置、収納、配線などに大変手間がかかり、家庭で常時使う現実的なシステムとはなりえていない。
例えば、壁一面に表示パネルを埋め込み設置する場合、設置に多くの費用や手間がかかったり、賃貸住宅など住居の改造に制限があり設置自体が困難な場合も少なくない。また、実際の住居の状況を考えた場合、壁面であっても表示パネルを常駐させるスペースが少ない場合も多く、使用時のみ表示パネルを設置し、未使用時にはその表示パネルを収納する、といったことも考えなくてはいけない。
【０００７】
また、複数の表示パネルを使用した大画面表示装置において、ユーザがあたかも映像に包みこまれるように各表示パネルを設置しようとした場合に、表示パネルを理想的な円形、あるいは台形型等に設置することは一般ユーザには難しいし、住宅事情によりいびつな形状にしかならない場合も多い。その際でも理想的な映像を鑑賞できる工夫が求められていた。
【０００８】
さらには、複数の表示パネルを使用した大画面表示装置を、間仕切りとしてかつ映像または情報表示装置として使用した場合、個々の表示パネルが交互に折られた形状となるため、ユーザは、表示パネルごとに映像を斜めから見ることになり正常な映像表示ができないという問題もあった。
【０００９】
また、大型表示画面をもつテレビの場合には、例えば１００インチ以上の薄型のテレビも商品化されつつある。よって、映画等を大画面で視聴したいとの要望から、１００インチ以上の大画面の需用も多くなりつつある。しかしながら、例えば１０８インチのテレビの場合、その表示画面は縦２.４ｍ×横１.３５ｍであり、テレビの設置場所が限定されるばかりか、設置場所へテレビを搬入することさえも困難な場合が考えられる。
【００１０】
また、テレビの薄型化も進み、厚さが数ｃｍあるいは１ｃｍ以下のテレビも商品化されつつある。そして薄型化と同時に軽量化も進んでいて、重量的には一般家庭への設置も不可能ではなくなっている。比較的狭い部屋に住んでいるユーザであっても、大画面で映画等を楽しみたいという要望は多いものの、平面の大画面表示装置では部屋の大きさ以上の表示は当然に不可能であった。
【００１１】
特許文献１に開示されている「フレーム両側面の複数の係止金具を持った表示パネル」では、設置時にそれなりの自由度と容易性を持っているといえなくはないが、表示パネルの配置や収納を家庭で煩雑に行ったり、アプリケーションに応じて随時配置方法を変えたりといった用途に容易に対応できるとはいえない。
【００１２】
本発明は、上述のごとき実情に鑑みてなされたもので、大画面表示を可能とする表示システムにおいて、その設置、収納、配線等を容易に行なうことを可能とし、かつこれらによりもたらされる設置の自由度により個々に異なる使用環境や設置環境に対応可能とする表示システムを提供することを目的とするものである。
【課題を解決するための手段】
【００１３】
上記課題を解決するために、本発明の第１の技術手段は、映像表示が可能な表示パネルを備える表示パネルユニットを一列に複数連結し、複数の表示パネルユニット間の角度を可変設定可能としたことを特徴としたものである。
【００１４】
第２の技術手段は、第１の技術手段において、複数の表示パネルユニットのうち、互いに隣接する二つの表示パネルユニットの連結部が、ヒンジにより構成され、ヒンジは、回動部を二つ備えたＮ字型構造を有することにより、二つの表示パネルユニットがなす角度を自在に設定可能としたことを特徴としたものである。
【００１５】
第３の技術手段は、第１または２の技術手段において、複数の表示パネルユニットのうち、互いに隣接する二つの表示パネルユニットの連結部に、二つの表示パネルユニットのなす角度を検出するための角度センサを備え、角度センサによる検出結果に基づいて、表示映像の補正を行うことを特徴としたものである。
【００１６】
第４の技術手段は、第３の技術手段において、角度センサの検出結果に基づいて、予め定めた所定の基準面に対する各表示パネルユニットの傾きを演算し、傾きに基づいて、複数の表示パネルユニットの表示映像を連結方向に拡大または縮小する補正を行うことを特徴としたものである。
【００１７】
第５の技術手段は、第４の技術手段において、基準面に対する各表示パネルユニットの傾きに基づいて、連結方向の拡大または縮小に加えて、表示パネルユニットに表示させる映像が台形の映像となるように補正することを特徴としたものである。
【００１８】
第６の技術手段は、第３〜５のいずれか１技術手段において、互いに隣接する二つの表示パネルユニットがなす角度の目標値を予め設定する角度目標値設定手段と、角度センサによる検出結果を用いて、角度目標値設定手段に設定された目標角度に一致するように表示パネルユニットの移動を指示する指示手段とを有することを特徴としたものである。
【００１９】
第７の技術手段は、第６の技術手段において、指示手段が、移動を指示する特定の表示パネルユニットに対して、移動方向及び移動量を表示映像にて指示し、及び／または特定の表示パネルの移動方向及び移動量を音声出力にて指示することを特徴としたものである。
【００２０】
第８の技術手段は、第１〜７のいずれかの技術手段において、表示システムが、複数の表示パネルユニットに角度可変に連結される制御ユニットを有し、制御ユニットにより、複数の表示パネルユニットに表示させる映像を制御することを特徴としたものである。
【発明の効果】
【００２１】
本発明によれば、大画面表示を可能とする表示システムにおいて、その設置、収納、配線等を容易に行なうことを可能とし、かつこれらによりもたらされる設置の自由度により個々に異なる使用環境や設置環境に対応可能とすることができる。
【００２２】
本発明の表示システムは、映像表示が可能な表示パネルを備える表示パネルユニットを一列に複数連結し、複数の表示パネルユニット間の角度を可変設定可能としたことにより、個々の表示パネルユニットを比較的小型化することができるため、製造、輸送、設置、移動が容易となる。また、表示パネルユニットの接続数などを調整することにより、個々の住居環境にあったサイズの表示システムを容易に構築できる。また、賃貸住宅のように住居の改造が制限される場合でも対応が可能である。
【００２３】
さらに本発明の表示システムは、複数の表示パネルユニットの角度が自在に可変でき、折り曲げ可能な状態で連結されているため、不要な場合に収納することが可能となり、比較的小さな居住空間でも必要時の大画面を実現できる。また、同様に、ユーザの前後左右から映像が表示されるといったような設置も可能となり、ユーザを映像で包みこむようなリラクゼーションシステムなど多彩なアプリケーションへの対応が可能となる。
【００２４】
さらに本発明の表示システムは、住居内では空間の間仕切りとしての効果を得ることも可能である。また、表示パネルユニットの移動方向や移動量を指示することにより、ユーザは、表示パネルユニットを理想的な目標位置に簡単に設置することができる。
【００２５】
また、表示サイズよりも大きな画面サイズにおける疑似視聴が可能となり、例えば狭い部屋で視聴するユーザであっても、見かけ上部屋のサイズ以上の画面サイズでの擬似的な視聴が可能となる。また、このとき表示パネルユニットの折り曲げ角度に応じて台形補正を行うことにより、ユーザは違和感のない映像を見ることができる。また、ユーザは、通常の平面表示による視聴と、より大画面での疑似視聴との変更を容易に行うことができる。
【発明を実施するための最良の形態】
【００２６】
図１は、本発明による表示システムの一実施形態を示す図で、図２は表示システムの配置例を示す図である。図１及び図２において、１０は表示システム、１は表示パネルユニット、２は制御ユニットである。
本発明に係る実施形態では、表示システム１０は、複数の表示パネルユニット１を備え、これら複数の表示パネルユニット１が一列に配列するように連結されている。つまり複数の表示パネルユニット１を一方向に連続して必要数だけ連結した構成を備えている。
そして各表示パネルユニット１間の連結部は、ヒンジによって接続されている。これにより各表示パネルユニット１間の折り曲げが可能となり、表示パネルユニット１間の角度を自在に設定することができる。
【００２７】
このように、複数の表示パネルユニット１を角度変更可能に接続することで、例えば複数の表示パネルユニット１を平面状に大画面となるように設置することは勿論、表示パネルユニット１が蛇腹状の形状となるように設置したり、表示パネルユニット１を折りたたんで収納可能とすることもできる。そして、表示システム１０の設置、収納、配線を容易に行なうことができるようになり、かつこれらによりもたらされる設置の自由度により、個々に異なる使用環境や設置環境に対応可能となる。
【００２８】
複数の表示パネルユニット１間で信号をやりとりするために、例えば、表示パネルユニット１間をフレキシブルなコードで接続してもよいし、あるいは無線通信システムで信号を送受信するようにしてもよい。無線通信システムは、壁面にドアや窓といった常時開放したい（表示パネルユニット１を設置できない）場所があるとき、この場所を抜いて表示パネルユニット１間を離間させて設置したい場合などに特に有効である。
【００２９】
本例では、複数接続された表示パネルユニット１の端部にさらに制御ユニット２を接続している。個々の表示パネルユニット１は、少なくとも表示パネルとそのドライブユニットで構成されている。そして、各表示パネルユニット１に表示する映像のデータおよび電源は、表示パネル全体を制御する制御ユニット２から与えるようにしている。
また、表示パネルユニット１に十分なスペースが存在する場合は、表示パネルユニット１のうちの一台にこのような制御、電源回路を内蔵させて制御ユニット２を省略してもよく、あるいは表示パネルユニット１にそのような回路のスペースがなければ、図１に示すように表示パネルユニット１とは別に制御ユニット２を設けてもよい。
【００３０】
この場合、制御ユニット２と表示パネルユニット１とを全くの別体とすることもできる。しかし、図１に示すように、制御ユニット２と表示パネルユニット１とを同形状にして、制御ユニット２とそれに隣接する表示パネルユニット１とを接続することで、設置の容易性などを向上させることが可能である。制御ユニット２と表示パネルユニット１との接続部は、表示パネルユニット１間と同様にヒンジによって角度変更可能に接続される。
【００３１】
各表示パネルユニット１間、及び表示パネルユニット１と制御ユニット２間には、二つの表示パネルユニット１同士がなす角度、もしくは表示パネルユニット１と制御ユニット２とがなす角度を測定する角度センサが備えられている。そして、制御ユニット２では、あらかじめメモリに記憶された設置時の理想的な角度情報と、実際の角度との差を算出し、ユーザに対して角度のずれを通知し、理想の角度にするよう求める。このときのユーザへの通知は、実際の角度と理想の角度を表示するだけでもよいし、よりユーザフレンドリーに「パネルＡとパネルＢをもう少し開いてください」等、表示または音声、もしくはその両方で指示させることができる。
【００３２】
また、住宅事情等により、理想的な設置状態とは異なる状態で視聴される場合には、角度センサによる検出角度とメモリされた理想の角度（目標角度）から各表示パネルユニットの映像について台形補正を行い、正面から正常に視聴できるようにする。この場合、パネルを間仕切りとして使いつつ、映像を表示させることもできる。
【００３３】
図３は、複数の表示パネルユニット及び制御ユニットを一列に連結するためのヒンジ構造の一例について説明するための図である。表示パネルユニット１とそれに隣接する他の表示パネルユニット１との連結部には、例えば図３に示すようなＮ字型のヒンジ３を適用することができる。また、図１及び図２に示すような制御ユニット２を持つ構造を採る場合は、表示パネルユニット１と制御ユニット２との連結部にも同様のヒンジ３を適用することができる。以下では説明のために、二つの表示パネルユニット１間に備えられたヒンジ３の構造を説明する。
【００３４】
Ｎ字型のヒンジ３は、隣接する表示パネルユニット１間で、これら表示パネルユニット１を相互に接続する形態で取り付けられる。そしてＮ字型をなすヒンジ３のうち、一端側の一辺が一方の表示パネルユニット１に取り付けられ、Ｎ字型の他端側の一辺が他方の表示パネルユニット１に取り付けられる。
このＮ字型のヒンジ３には、二つの回動部３１，３２が設けられ、Ｎ字型の各辺が各回動部３１，３２により互いに回動するようになっている。このＮ字型のヒンジ３による連結構造により、表示パネルユニット１間の角度を自在に可変設定できる。
【００３５】
図４は、図３の連結構造による表示システムの折り曲げ時の状態を説明するための図で、図４（Ａ）は、表示パネルユニットの一部を折り曲げた状態の表示システムを示す図、図４（Ｂ）は図４（Ａ）のＡ部におけるヒンジの状態を示す図、図４（Ｃ）は図４（Ａ）のＣ部におけるヒンジの状態を示す図、図４（Ｄ）は図４（Ａ）のＤ部におけるヒンジの状態を示す図である。
【００３６】
図４に示すように、本実施形態によるＮ字型のヒンジ３は、２箇所の回動部３１，３２を備えているため、表示パネルユニット１を山折及び谷折の双方向に自由な角度で折り曲げることができる。
また、特定の連結部において、常に特定の方向（例えば山折または谷折）に折り曲げるように使用するのであれば、ヒンジ３の回動部３１，３２の一方を固定して動かなくなるようにすれば、表示パネルユニット１間に不要な隙間ができたり、表示パネルユニット１が前後にずれるのを防止することができる。
【００３７】
このようなヒンジ３を用いた連結構造により、複数の表示パネルユニット１を連結したままでその角度調節が可能となる。つまり、本実施形態の表示システム１０は、表示パネルユニット１間（制御ユニット２を使用する場合は制御ユニット２も含む）が常に連結されたままになっており、表示システム１０の配置を変更するたびに連結しなおす必要がない。
【００３８】
また、各ヒンジ３に角度センサを持たせることにより、その検出結果に基づいて、表示パネルユニット１が設置すべき目標角度になったときに映像や音などで知らせるようにすることができる。これにより、ユーザは、表示システム１０の設置すべき状態を容易に認識でき、表示システム１０を効率的かつ適切に配置にすることが可能となる。
【００３９】
また、表示パネルユニット１の角度を知らせる場合、角度センサにより検出される現在の表示パネルユニット１の角度が、予め定めた目標角度に合致した場合のみ知らせるのではなく、目標角度に近づいた度合いを知らせることで、設置の容易性は更に向上する。
例えば、映像にて知らせる場合、予め定めた目標角度と、角度センサにより検出される現在の角度との相違を表示パネル部にバー表示するなどの手法を採ることができる。また、音で知らせる場合は、角度の違いで音の発音間隔を変えるなどでの手法によっても実現できる。例えば、表示パネルユニット１間の角度を調節する時、「ピッ、ピッ、ピピッ、ピピピッ、ピーーー」という具合に音を角度により変化させることで、ユーザは、感覚的にも把握しやすく効率的に設置角度を認識することができる。
【００４０】
ここでは例えば、表示パネルユニットを理想的な円形あるいは台形型等に設置して、ユーザがあたかも映像に包みこまれるようにする場合、あるいは住宅事情によりいびつな形状にしかならない場合にも理想的な映像を鑑賞できるようにする場合などを考慮して、表示パネルユニット１に理想的な形状を与えるための目標角度を設定しておくことができる。
【００４１】
また、上記の角度センサによって表示パネルユニット１間の角度を検出することで、角度に応じて正面から見たときに正しい幅になるように、表示映像の横方向（つまり表示パネルユニット１おの連結方向）のサイズを変換（拡大また縮小）するようにしてもよい。これにより、表示パネルユニット１が蛇腹状に折られた状態でも違和感のない映像を表示する機能を持たせることが可能となる。
【００４２】
図５及び図６は、表示パネルユニットの角度検出による映像サイズの補正機能について説明するための図である。例えば図５に示すように、表示パネルユニット１間の角度をθとする。角度θは、例えば、二つの表示パネルユニット１の表示面とのなす角度として定義できる。また制御ユニット２を使用する場合には、制御ユニットの前面と表示パネルユニット１の表示面とのなす角度として定義できる。ユニット間のなす角度の定義は、これ以外にも適宜定義しておくことができる。そして、この例では、図５（Ａ）に示すように、ユーザの視線方向Ｖから奥側に折られたとき角度θをマイナスで表し、視線方向Ｖ側に向かって折られたときの角度θをプラスで表すものとする。
【００４３】
そして、例えば制御ユニット２など前面を基準にして所定の基準面を定義する。この場合、基準面は制御ユニット２の前面に限定されず、例えば制御ユニット２の側面を基準面としたり、もしくは表示パネルユニット１のうちの１つに基準面を設定してもよい。あるいは、視聴位置にいるユーザの視線に垂直な架空の基準面を設定し、制御ユニットの前面とその基準面との角度の差異を予め表示システム１０に設定しておくようにしてもよい。この設定値を用いれば、制御ユニット２では、架空の基準面を基準にして映像補正を行うことができる。
【００４４】
図６は、表示システムの表示パネルユニットを折り曲げたときの映像サイズの補正例を説明するための図である。ここでは、例えば、図６（Ａ）に示すような複数の表示パネルユニット１に制御ユニット２を連結してなる表示システム１０に対して、図示するような映像を表示したものとする。そして、この表示システム１０を図６（Ｂ）に示すような状態となるように折り曲げたものとする。
【００４５】
この状態で、各ユニット間の角度（表示パネルユニット１間の角度、及び表示パネルユニット１と制御ユニット２との角度）を角度センサの検出結果に基づいて算出する。本例では、角度センサは、Ｎ字型のヒンジ３の回動部３１，３２における各辺の回動角度を検出するものであるが、それらの角度から、各ユニット間の角度を演算できるようにしておけばよい。
この場合、ユニット間の角度が、制御ユニット２側から順に、−６０°，＋１２０°，−１２０°，＋１２０°，−６０°であったものとする。この場合、制御ユニット２の前面を基準面とすると、その制御ユニット２の基準面に対する各表示パネルユニット１の角度は、制御ユニット２側から順に、−６０°，＋６０°，−６０°，＋６０°，０°となる。
【００４６】
制御ユニット２では、各表示パネルユニット１に表示させる表示映像を各表示パネルユニット１の角度に応じて補正する。例えば、各表示パネルユニット１に表示する映像を水平方向に(１/ｃｏｓθ)倍して画面構成し、表示させる。このときの各表示パネルユニット１の表示映像は、図６（Ｃ）に示すように、水平方向に（１／ｃｏｓθ）倍された映像となる。例えば、表示パネルユニット１と基準面とのなす角が０°の場合は映像を拡大することなく１倍にて表示し、±６０°の場合には映像を水平方向に２倍に拡大して表示する。
【００４７】
これにより、基準面に対して垂直に向く視線Ｖに対して、各表示パネルユニット１の映像を補正し、表示パネルユニット１が視線Ｖに対して傾いているにもかかわらず、図６（Ａ）のような状態で映像を視認することができるように映像を補正することができる。つまり、視聴者に対して正面を向いていない表示パネルユニット１があった場合でも、本来の縦横比に近い自然な映像を見ることが可能となる。
ユーザは、表示システム１０を設置する際に、基準面として定められた面（ここでは制御ユニット２の前面）を視聴位置に正対するように設置することで、表示パネルユニット１を自由に折り曲げても、その基準面に対する演算結果に従って最適な映像補正を行わせることができる。
【００４８】
なお、上記のような角度演算と映像の水平方向の補正は、上記の例に限定されず、適宜公知の技術を適用できる。表示パネルユニット１の角度に応じて視聴者の視点位置を推定し、その視点位置に基づいて映像補正を行うようにしてもよい。また、視線に対して傾いた表示パネルユニット１の表示映像に台形補正を施して、より平面による表示に近い映像とするようにしてもよい。
【００４９】
また、上記の例では、複数の表示パネルユニット１と制御ユニット２とが水平方向に一列に連結された構成の表示システム１０において、表示パネルユニット１の角度に応じて表示映像を水平方向に拡大する例を示したが、例えば、複数の表示パネルユニット１を垂直方向に接続する構成を採ってもよく、この場合には、表示パネルユニット１の角度に応じて垂直方向に映像を拡大する処理を行うようにする。
【００５０】
また、表示システムを移動し設置するための構成として、例えばキャスタを各表示パネルユニットに設けてもよい。これにより、表示システム１０が床の上を自由に移動できるようにすることで、ユーザは、表示パネルユニット１の移動や配置を容易に行なうことができるようになる。
また、アコーディオンカーテンのように、あらかじめ床や天井等に案内用のレールを設置し、このレールに沿って表示システム１０を設置したり、収納したりすることも考えられる。この場合、レールにより配置の自由度は制限されるが、表示システム１０の設置作業や収納作業が更に容易になる。
【００５１】
図７は、本発明による表示システムにおける表示パネルユニットと制御ユニットの要部の構成例を示す図である。この例では、表示システム１０は、４つの表示パネルユニット１と、制御ユニット２とによって構成される。各表示パネルユニット１と制御ユニット２は図３に示すごとくのヒンジ３によって接続され、ヒンジ３には角度センサ１１，１２が備えられる。この場合、各表示パネルユニット１は、その水平方向両側にヒンジ３が接続されるが、各表示パネルユニット１が備える角度センサ１１，１２は、一方側のヒンジ３に備えられた二つの角度センサを指すものとする。
【００５２】
上記のようにＮ字型のヒンジ３には、二つの回動部３１，３２が設けられ、Ｎ字型の各辺が各回動部３１，３２により互いに回動するようになっている。このＮ字型のヒンジ３による連結構造により、表示パネルユニット１同士（または表示パネルユニット１と制御ユニット２）との折り曲げ方向を自在に設定できる。角度センサ１１，１２は、この二つの回動部３１，３２によりそれぞれ回動するＮ字型の各辺の角度を検出できるようになっている。例えば、一方の角度センサ１１は、一方の回動部３１により回動する二つの辺の角度を検出し、他方の角度センサ１２は、他方の回動部３２により回動する二つの辺の角度を検出できるようにする。そしてこれらの検出信号を制御ユニット２に出力できるようにしておく。
【００５３】
制御ユニット２は以下の処理を行なう。表示システム１０を設置するに際して、まず、制御ユニット２を設置して、これを基準に各表示パネルユニット１の設置を行なっていく。ここでは、表示パネルユニット１の設置を行なう旨をスピーカーからの音声にて知らせる。そしてこれと同時に、移動を行なうべき表示パネルユニット１の表示パネルに、コメントや映像などで移動すべき表示パネルを視覚的に視認しやすくする表示を行う。アプリケーションソフトウエア２８は、制御ユニット２の内部の記憶ストレージに記録保持されるか、もしくは外部ストレージに保持されたものを利用可能としたもので、表示パネルユニット１に表示させる表示映像を生成する機能を有するものである。
【００５４】
制御ユニット２は、複数の表示パネルユニット１から特定の表示パネルユニット１を選択して信号の授受を行うための第１の表示パネルユニット選択部２１と、第２の表示パネルユニット選択部２６とを備えている。第１の表示パネルユニット選択部２１は、各表示パネルユニット１に設置された角度センサ１１，１２の角度情報を取り込み、ユニット間角度演算部２２に送る。ユニット間角度演算部２２は、角度センサ１１，１２による角度情報に基づいて、表示パネルユニット１間、及び表示パネルユニット１と制御ユニット２との角度を検出する。
【００５５】
この場合、まずユニット間角度演算部２２は、制御ユニット２とそれに隣接して接続される一番目の表示パネルユニット１との角度を演算する。そして、制御ユニット２の目標値の差異演算部２３は、予め図示しないメモリ等に保持している角度の目標値と、ユニット間角度演算部２２で演算した角度との差異を求め、その差異に応じて音声や映像表示により、特定の表示パネルユニット１の移動指示やその移動量等を通知する。
【００５６】
この場合、各ユニット間の角度の目標値（理想的な角度値）がメモリ等に保持されている。目標値との差異演算部２３は、各ユニット間の角度の差異を演算するときに、該当する目標値を抽出して演算を行うようにする。目標値の設定操作は、制御ユニット２が備える操作入力手段や、表示パネルユニット１が備える操作入力手段を用いることができる。このような目標角度を予め設定しておく構成により、本発明の角度目標値設定手段が実現される。
【００５７】
また、音声や映像表示より通知を行う際、目標値との差異演算部２３は、音声による通知を行う場合には音声制御部２４を制御し、スピーカー２５から音声により上記のようなユニット設置を指示する音声を出力させる。また、映像による通知を行う場合には、目標値の差異演算部２３は、第２表示パネルユニット選択部２６にその旨を送り、映像表示制御２７の制御により、移動指示を行う表示パネルユニット１（この場合には、制御ユニット２に接続される一番目の表示パネルユニット１）の表示用ドライバ１３に対して指示を送出する。表示パネルユニット１の表示用ドライバ１３は、この指示に応じて表示パネル１４に上記のようなユニット設置を指示する映像を表示させる。これらの構成により本発明の指示手段が実現される。
【００５８】
上記のような音声による設置指示と映像による設置指示は、その両方を同時に行ってもよく、また、いずれか１方のみを実行するようにしてもよい。
このように、表示パネルユニット１の設置指示をユーザの聴覚、視覚の両方またはその一方で確認できるようにすることにより、ユーザは、表示パネルユニット１を移動させながらも容易に指示情報が得られ、表示パネルユニット１の移動、配置を容易かつ円滑に行なうことができる。
【００５９】
そして、制御ユニット２では、一番目の表示パネルユニット１と制御ユニット２との角度が目標値に合致し、その表示パネルユニット１が適正な位置に配置されたものと判断すると、音声や映像にてその旨を通知し、次の二番目の表示ユニット１の移動、配置を行うよう音声や映像表示にて知らせる。
【００６０】
次に制御ユニット２では、上記の処理と同様に、制御ユニット２側から数えて一番目と二番目の表示パネルユニット１の角度を設定する処理を行う。ここでは上記と同様に、一番目と二番目の表示パネルユニット１の角度検出情報とその目標値との差異に基づいて、映像または音声、もしくはその両方により二番目の表示ユニット１の移動、配置をユーザに指示する。そして二番目の表示ユニット１が適正に設置されるとその旨を通知する。
【００６１】
こうして、同様の処理を行って、最後の表示パネルユニット１の設置が適正に終了すれば、全てのユニットの移動、配置が完了した旨を通知し、設置が完了する。
【００６２】
図８は、本発明による表示システムにおける表示パネルユニットと制御ユニットの要部の構成の他の例を示す図で、表示映像の補正処理を行うための構成例を示すものである。この例では図７の例と同様に、表示システム１０は、４つの表示パネルユニット１と、制御ユニット２とによって構成されている。各表示パネルユニット１と制御ユニット２は図３に示すごとくのヒンジ３によって接続され、ヒンジ３には角度センサ１１，１２が備えられる。この場合、各表示パネルユニット１は、その水平方向両側にヒンジ３が接続されるが、各表示パネルユニット１が備える角度センサ１１，１２は、一方側のヒンジ３に備えられた二つの角度センサを指すものとする。また、アプリケーションソフトウエア４１は、制御ユニット２の内部の記憶ストレージに記録保持されるか、もしくは外部ストレージに保持されたものを利用可能としたもので、表示パネルユニット１に表示させる表示映像を生成する機能を有するものである。
【００６３】
まず、制御ユニット２を設置し、設置条件を設定する。設置条件とは、基準面と制御ユニット２の所定の面とのなす角度を意味する。基準面は、例えば、映像視聴者（ユーザ）と正体した架空の面とするとよい。ユーザの視聴位置はユーザ自身で決めることができる。つまり基準面は、映像視聴者の視聴位置を定め、その映像視聴者が表示システム１０の表示パネルユニット１を視聴するときの視線に垂直な架空の面として定めることができる。また制御ユニット２の所定の面とは、制御ユニットの前面であってもよく、また所定の側面等であってもよい。
【００６４】
そして、制御ユニット２の第１のユニット間角度演算部４３は、制御ユニット２に接続された一番目の表示パネルユニット１の角度センサ１１，１２から角度情報を取得し、制御ユニット２から数えて一番目の表示パネルユニット１と制御ユニット２との角度を演算する。
【００６５】
また、制御ユニット設置条件設定部４２には、設置条件が設定されている。設置条件は上記のように制御ユニット２の所定面と基準面とのなす角度情報である。第１の基準面との角度差演算部４４では、制御ユニット設置条件設定部４２から取得した角度情報と、第１のユニット間角度演算部４３で演算した角度とを比較し、一番目の表示ユニット１と基準面とのなす角度を演算する。
【００６６】
映像表示制御部４０は、第１の水平方向サイズ補正・表示領域設定部４５を有し、第１の基準面との角度差演算部４４で演算した角度情報に基づいて、表示映像の水平方向サイズの補正及び表示領域の設定を行う。
表示パネルユニット１の表示面が基準面に一致しない場合、その表示パネルユニット１に表示する映像は、その角度に応じて水平方向に縮小して見えてしまう。ここでは、表示パネルユニット１と基準面との角度に応じて、表示パネルユニット１に表示する映像を水平方向に拡大することにより、縮小して見えることを補正する。
【００６７】
また、上記の処理を行なった場合、表示映像を水平方向に拡大することになる。しかし映像を表示する表示パネルユニット１の水平方向の大きさは変わらないため、表示パネルユニット１に表示する映像の表示領域を変更する必要がある。ここでは、水平方向のサイズ変更内容に合わせて表示する領域を規定し、表示する映像の水平方向の開始位置および終了位置を決定する。そしてその結果として作られた映像データを、一番目の表示パネルユニット１の表示用ドライバ１３へ出力し、表示パネル１４へ映像として表示させる。
【００６８】
次に上記のごとくの処理を次の（制御ユニット２側から二番目の）表示パネルユニット１に対して実行する。つまり、制御ユニット２の第２ユニット間角度演算部４６では、２番目の表示パネルユニット１の角度センサ１１，１２からの角度情報を取得して一番目の表示パネルユニット１と二番目の表示パネルユニット１との角度を演算する。そして、第１の基準面との角度差演算部４４で求められた一番目の表示パネルユニット１と基準面とのなす角度と、第２のユニット間角度演算部４６で演算した角度情報とを、第２の基準面との角度差演算部４７に入力する。第２の基準面との角度差演算部４７は、二番目の表示パネルユニット１と基準面とのなす角度を演算する。
【００６９】
この情報を基に映像表示制御部４０の第２水平方向サイズ補正・表示領域設定部４８は、映像の水平方向サイズ補正および表示領域の設定を行なう。表示領域の設定については、一番目の表示パネルユニット１の表示領域の情報に基づいて、すなわち第１の水平方向サイズ補正・表示領域設定部４５で設定された表示領域の情報に基づいて２番目の表示パネルユニット１の表示領域の開始位置を決定する。そしてその結果として作られた映像データを、二番目の表示パネルユニット１の表示用ドライバ１３へ出力し、表示パネル１４へ映像として表示させる。
こうして、同様の処理を行って、最後の表示パネルユニット１（この例では４番目の表示パネルユニット１）の映像表示を行うことで、視覚的に違和感のない映像表示を行うことができるようになる。
【００７０】
図９は、本発明による表示システムでＴＶ画面を表示させるときの例を説明するための図である。例えば図９（Ａ）は、大型表示領域、例えば１０８インチのテレビの表示領域を４つの表示パネルユニット１で実現した表示システムを示している。
この場合、４つの表示パネルユニット１からなる表示画面の表示領域は、横２.４ｍ×縦１.３５ｍで縦横比が１６：９の１０８インチ相当の表示領域を持っている。各表示パネルユニット１は、水平方向に一列に連結され、例えば上記図３に示すヒンジ構造等を用いて、折り曲げ角度を自在に設定できるようになっている。１０８インチよりも更に大画面の形状例として、例えば、点線で示すような横３.５ｍ×縦１.２５ｍで縦横比が２１：９（シネマサイズ）の１３５インチの表示画面がある。
【００７１】
この表示システム１０を図９（Ｂ）に示すように設置した場合、つまり、４つの表示パネルユニット１のうちの両端の表示パネルユニット１を前面側に角度を付けて折り曲げて、視聴者を囲むような形状となるように設定する。これにより、視聴者の視線の角度は、１３５インチ相当の表示領域と同等となるように設定することができる。つまり、１０８インチの表示領域をもつ表示システム１０により、１３５インチの大画面の表示領域の映像を擬似的に表示させることができる。例えば、上記の表示システム１０を２ｍ離れた位置から視聴する場合、両端の表示パネルユニット１を約４５°折り曲げることによって、１３５インチの疑似表示画面を実現できる。
【００７２】
この場合、折り曲げた部分の映像については、疑似画面領域では拡大されて見えるため、その疑似画面領域に合わせて水平方向に縮小処理を行うようにしてもよい。
また、図１０に示すように、折り曲げる部分の表示パネルユニット１については、端部に向かうほど映像の上下方向を縮小するいわゆる台形補正を行うようにしてもよい。これにより、疑似画面領域に映像が表示されているときの状態がより再現されて、違和感なく大画面の表示映像を視認することができるようになる。
【００７３】
このような使用法を例えばテレビに適用することにより、表示サイズよりも大きな画面サイズにおける疑似視聴が可能となり、例えば狭い部屋で視聴するユーザであっても、見かけ上部屋のサイズ以上の画面サイズでの擬似的な視聴が可能となる。また、このとき表示パネルユニットの折り曲げ角度に応じて台形補正を行うことにより、ユーザは違和感のない映像を見ることができる。そしてユーザは、通常の平面表示による視聴と、より大画面での疑似視聴との変更を容易に行うことができるようになる。
【図面の簡単な説明】
【００７４】
【図１】本発明による表示システムの一実施形態を示す図である。
【図２】本発明による表示システムの配置例を示す図である。
【図３】複数の表示パネルユニット及び制御ユニットを一列に連結するためのヒンジ構造の一例について説明するための図である
【図４】図３の連結構造による表示システムの折り曲げ時の状態を説明するための図である。
【図５】表示パネルユニットの角度検出による映像サイズの補正機能について説明するための図である。
【図６】表示パネルユニットの角度検出による映像サイズの補正機能について説明するための他の図である。
【図７】本発明による表示システムにおける表示パネルユニットと制御ユニットの要部の構成例を示す図である。
【図８】本発明による表示システムにおける表示パネルユニットと制御ユニットの要部の構成の他の例を示す図で、
【図９】本発明による表示システムでＴＶ画面を表示させるときの例を説明するための図である。
【図１０】図９の表示システムで実行する台形補正を説明するための図である。
【符号の説明】
【００７５】
１…表示パネルユニット、２…制御ユニット、３…ヒンジ、１０…表示システム、１１，１２…角度センサ、１３…表示用ドライバ、１４…表示パネル、２１…表示パネルユニット選択部、２２…ユニット間角度演算部、２３…差異演算部、２４…音声制御部、２５…スピーカー、２６…表示パネルユニット選択部、２７…映像表示制御、２８…アプリケーションソフトウエア、３１…回動部、３２…回動部、４０…映像表示制御部、４１…アプリケーションソフトウエア、４２…制御ユニット設置条件設定部、４３…第１のユニット間角度演算部、４４…第１の基準面との角度差演算部、４５…第１の水平方向サイズ補正・表示領域設定部、４６…第２のユニット間角度演算部、４７…第２の基準面との角度差演算部、４８…第２の水平方向サイズ補正・表示領域設定部。
【図１】
2010054643.tif 000003
【図２】
2010054643.tif 000004
【図３】
2010054643.tif 000005
【図４】
2010054643.tif 000006
【図５】
2010054643.tif 000007
【図６】
2010054643.tif 000008
【図７】
2010054643.tif 000009
【図８】
2010054643.tif 000010
【図９】
2010054643.tif 000011
【図１０】
2010054643.tif 000012